(57)【要約】【課題】通信装置に接続する多くの光ケーブルの余長部分を邪魔にならないように収納できるケーブル余長処理構造。【解決手段】下段ケーブルサポート１０は、通信装置１の背面の上部に設けられたファンユニット２の背面に水平に取り付けられ、４箇所の下段ケーブル載置部１７が設けられている。各下段ケーブル載置部１７は、光ケーブル２０のループ２１を４つのワイヤサドル１１で保持する。上段ケーブルサポート１３は、４つの脚部１５を有し、この脚部１５の下端を下段ケーブルサポート１０に設けられた取り付け穴１２に差し込み、下段ケーブル載置部１７上に搭載される。上段ケーブルサポート１３の上面は上段ケーブル載置部３４となり、４つのワイヤサドル１４で光ケーブル２０のループ２１を保持する。【選択図】　　　図３
2004080885.tif 000002
【特許請求の範囲】
【請求項１】
ケーブルを水平なループにして載置するための下段ケーブル載置部を設けた下段ケーブルサポートと、この下段ケーブルサポートの上部に取り外し可能に搭載されケーブルを水平なループにして載置するための上段ケーブル載置部を設けた上段ケーブルサポートとを含むことを特徴とするケーブル余長処理構造。
【請求項２】
ケーブルを水平なループにして載置するための下段ケーブル載置部を設けた下段ケーブルサポートと、この下段ケーブルサポートの上部に取り外し可能に搭載されたケーブルを水平なループにして載置するための上段ケーブル載置部を設けた上段ケーブルサポートと、この上段ケーブルサポートの下側で前記上段ケーブル載置部の両側に少なくとも１つずつ設けられ互いに平行な複数の脚部と、前記下段ケーブルサポートの前記脚部に対応する位置に設けられ前記脚部の幅方向の長さが前記脚部の幅より小さい矩形の取り付け穴と、前記脚部の下端に両側に段差部を設けて接続し前記下段ケーブルサポートの厚さだけ前記脚部と同じ向きに延長した先に前記脚部の厚さ方向に折り曲げられた曲げ部を有する係止部とを含み、
前記系止部の幅は前記取り付け穴の前記脚部の幅方向の長さより小さく、曲げ部の前記脚部の厚さ方向の長さが前記取り付け穴の前記脚部の厚さ方向の長さより小さく、前記段差部を前記下段ケーブルサポートの上面に当接し前記係止部を前記取り付け穴に通し前記先端部を前記下段ケーブルサポートの下面に対向させて前記脚部を前記下段ケーブルサポートに固定し、前記上段ケーブルサポートの前記上段ケーブル載置部の一方の側に設けられた前記脚部と他方の側に設けられた脚部とでは前記先端部の折り曲げられた方向が互いに逆向きであることを特徴とするケーブル余長処理構造。
【請求項３】
ケーブルを水平なループにして載置するための下段ケーブル載置部を設けた下段ケーブルサポートと、この下段ケーブルサポートの上部に取り外し可能に搭載されケーブルを水平なループにして載置するための上段ケーブル載置部を設けた上段ケーブルサポートとを含み、この上段ケーブルサポートのループにして載置したケーブルの延長部分を這わせる周辺部を上に凸の湾曲面とし縁を下向きに傾斜させたことを特徴とするケーブル余長処理構造。
【請求項４】
ケーブルを水平なループにして載置するための下段ケーブル載置部を複数個所設けた下段ケーブルサポートと、それぞれがこの下段ケーブルサポートの前記ケーブル載置部それぞれの上部に取り外し可能に搭載されるケーブルを水平なループにして載置するための上段ケーブル載置部を設けた複数の上段ケーブルサポートとを含むことを特徴とするケーブル余長処理構造。
【請求項５】
ケーブルを水平なループにして載置するための下段ケーブル載置部を複数個所設けた下段ケーブルサポートと、この下段ケーブルサポートの上部に取り外し可能に搭載されそれぞれが前記下段ケーブル載置部のいずれかの上部に設けられケーブルを水平なループにして載置するための複数の上段ケーブル載置部を有する上段ケーブルサポートとを含むことを特徴とするケーブル余長処理構造。
【請求項６】
ケーブルを水平なループにして載置するための下段ケーブル載置部を設けた下段ケーブルサポートと、この下段ケーブルサポートの上部に取り外し可能に搭載されケーブルを水平なループにして載置するための上段ケーブル載置部を設けた上段ケーブルサポートと、前記下段ケーブルサポートの前記下段ケーブル載置部の中央に設けられたケーブルを通すための下段開口部と、前記上段ケーブルサポートの前記ケーブル載置部の中央に設けられた上段開口部とを含むことを特徴とするケーブル余長処理構造。
【請求項７】
ケーブルを水平なループにして載置する下段ケーブル載置部の複数を一辺に沿って並べて設けた下段ケーブルサポートと、この下段ケーブルサポートの上部に取り外し可能に搭載されそれぞれが前記下段ケーブル載置部のいずれかの上部に設けられケーブルを水平なループにして載置するための複数の上段ケーブル載置部を有する上段ケーブルサポートと、前記下段ケーブルサポートの前記一辺の前記下段ケーブル載置部相互間に設けられた下段切り欠きと、前記上段ケーブルサポートの前記下段ケーブルサポートの前記一辺の上側に位置する辺の前記上段ケーブル載置部相互間に設けられた上段切り欠きとを含むことを特徴とするケーブル余長処理構造。
【発明の詳細な説明】
【０００１】
【発明の属する技術分野】
本発明は、ケーブル余長処理構造に関し、特に通信装置に光ケーブルを接続する際に光ケーブルの余長部分をループにして収納しておくケーブル余長処理構造に関する。
【０００２】
【従来の技術】
図８は、特開平８−２２２８６６に開示された従来のケーブル余長処理構造の斜視図である。
【０００３】
図８において、水平な棚板からなるケーブルサポート１１０が支持腕１１２を介して通信装置のユニット搭載枠（図示略）に固定されている。ケーブルサポート１１０の上面に、３箇所のケーブル載置部１１３を設け、各ケーブル載置部１１３において円周上に４つずつのワイヤサドル１１１を９０度おきに設けている。ワイヤサドル１１１は、図９に示すように細長い板を折り曲げて、底部の両端に上向きに曲げて接続する両則部の上端を内側に斜め下向きに折り曲げ、この両側の斜めの折り曲げ部分の間に隙間を設けたものであり、両側部の間に光ケーブル１２０を通し、底部がねじ等でケーブルサポート１１０の上面に固定される。通信装置に一端が接続される光ケーブル１２０は、いずれかのケーブル載置部１１３においてループ１２１を成すように４つのワイヤーサドル１１１に通し、他端の側を外部へ導出する。
【０００４】
また図１０は、特開平８−５４５５０に開示された光ケーブル収納本数を増大させることができる従来のケーブル余長処理構造の斜視図である。
【０００５】
図１０において、電子回路ユニット２０１の背面上部にケーブルサポート２０２が水平に取り付けられ、ケーブルサポート２０２の後端から垂直に吊り下げられた保持金具２０３に上下に位置する２つのワイヤサドル２１１を取り付けてある。光ケーブル２２０は、保持金具２０３の２つのワイヤサドル２１１に通してループ２２１を形成して余長を処理する。ケーブルサポート２０２の上面の他に吊り下げた保持金具２０３により垂直方向に光ケーブル２２０のループ２２１を作ることにより余長処理が可能となり、光ケーブル２２０収納本数を増大させることができる。
【０００６】
【発明が解決しようとする課題】
図８に示した従来のケーブル余長処理構造は、光ケーブル１２０を支持できるのはケーブルサポート１１０の上面だけであり、ケーブルサポート１１０に取り付けられるワイヤーサドル１１１の大きさでケーブル収納本数は制限される。
【０００７】
また、図１０に示した従来のケーブル余長処理構造は、ケーブルサポート２０２から吊り下げた保持金具２０３および光ケーブル２２０が電子回路ユニット２０１の背面を覆って塞いでしまい、電子回路ユニット２０１の光ケーブルの接続工事や保守性を著しく阻害するという問題がある。また、光ケーブル２２０のループ２２１を垂直方向に作った場合に、ループ２２１を保持するワイヤーサドル２１１の部分で光ケーブル２２０が自重で次第に垂れ下がることにより曲がってしまい、光ケーブル２２０の特性上必要な曲率半径を維持できなくなるという問題がある。
【０００８】
本発明は上記のような電子回路ユニットの背面等を塞いだり曲率半径が維持できないという問題を回避しながら、光ケーブル等の増加に対応できるケーブル余長処理構造を提供するものである。
【０００９】
【課題を解決するための手段】
本発明のケーブル余長処理構造は、ケーブル（図３の２０）を水平なループ（図３の２１）にして載置するための下段ケーブル載置部（図１の１７）を設けた下段ケーブルサポート（図１の１０）と、この下段ケーブルサポートの上部に取り外し可能に搭載されケーブルを水平なループにして載置するための上段ケーブル載置部（図２の３４）を設けた上段ケーブルサポート（図２の１３）とを含むことを特徴とする。
【００１０】
本発明のケーブル余長処理構造は、ケーブル（図３の２０）を水平なループ（図３の２１）にして載置するための下段ケーブル載置部（図１の１７）を設けた下段ケーブルサポート（図１の１０）と、この下段ケーブルサポートの上部に取り外し可能に搭載されたケーブルを水平なループにして載置するための上段ケーブル載置部（図２の３４）を設けた上段ケーブルサポート（図２の１３）と、この上段ケーブルサポートの下側で前記上段ケーブル載置部の両側に少なくとも１つずつ設けられ互いに平行な複数の脚部（図２の１５）と、前記下段ケーブルサポートの前記脚部に対応する位置に設けられ前記脚部の幅方向の長さが前記脚部の幅より小さい矩形の取り付け穴（図１の１２）と、前記脚部の下端に両側に段差部（図４の３１）を設けて接続し前記下段ケーブルサポートの厚さだけ前記脚部と同じ向きに延長した先に前記脚部の厚さ方向に折り曲げられた曲げ部（図４の３０）を有する係止部（図４の３２）とを含み、
前記系止部の幅は前記取り付け穴の前記脚部の幅方向の長さより小さく、曲げ部の前記脚部の厚さ方向の長さが前記取り付け穴の前記脚部の厚さ方向の長さより小さく、前記段差部を前記下段ケーブルサポートの上面に当接し前記係止部を前記取り付け穴に通し前記先端部を前記下段ケーブルサポートの下面に対向させて前記脚部を前記下段ケーブルサポートに固定し、前記上段ケーブルサポートの前記上段ケーブル載置部の一方の側に設けられた前記脚部と他方の側に設けられた脚部とでは前記先端部の折り曲げられた方向が互いに逆向きであることを特徴とする。
【００１１】
本発明のケーブル余長処理構造は、ケーブル（図３の２０）を水平なループ（図３の２１）にして載置するための下段ケーブル載置部（図１の１７）を設けた下段ケーブルサポート（図１の１０）と、この下段ケーブルサポートの上部に取り外し可能に搭載されケーブルを水平なループにして載置するための上段ケーブル載置部（図２の３４）を設けた上段ケーブルサポート（図２の１３）とを含み、この上段ケーブルサポートのループにして載置したケーブルの延長部分を這わせる周辺部を上に凸の湾曲面（図２の３７）とし縁を下向きに傾斜させたことを特徴とする。
【００１２】
本発明のケーブル余長処理構造は、ケーブル（図３の２０）を水平なループ（図３の２１）にして載置するための下段ケーブル載置部（図１の１７）を複数個所設けた下段ケーブルサポート（図１の１０）と、それぞれがこの下段ケーブルサポートの前記ケーブル載置部それぞれの上部に取り外し可能に搭載されるケーブルを水平なループにして載置するための上段ケーブル載置部（図２の３４）を設けた複数の上段ケーブルサポート（図２の１３）とを含むことを特徴とする。
【００１３】
本発明のケーブル余長処理構造は、ケーブル（図３の２０）を水平なループ（図３の２１）にして載置するための下段ケーブル載置部（図１の１７）を複数個所設けた下段ケーブルサポート（図１の１０）と、この下段ケーブルサポートの上部に取り外し可能に搭載されそれぞれが前記下段ケーブル載置部のいずれかの上部に設けられケーブルを水平なループにして載置するための複数の上段ケーブル載置部（図６の３８）を有する上段ケーブルサポート（図６の４１）とを含むことを特徴とする。
【００１４】
本発明のケーブル余長処理構造は、ケーブル（図３の２０）を水平なループ（図３の２１）にして載置するための下段ケーブル載置部（図１の１７）を設けた下段ケーブルサポート（図１の１０）と、この下段ケーブルサポートの上部に取り外し可能に搭載されケーブルを水平なループにして載置するための上段ケーブル載置部（図２の３４）を設けた上段ケーブルサポート（図２の１３）と、前記下段ケーブルサポートの前記下段ケーブル載置部の中央に設けられたケーブルを通すための下段開口部（図１の１８）と、前記上段ケーブルサポートの前記ケーブル載置部の中央に設けられた上段開口部（図２の３３）とを含むことを特徴とする。
【００１５】
本発明のケーブル余長処理構造は、ケーブル（図３の２０）を水平なループ（図３の２１）にして載置する下段ケーブル載置部（図１の１７）の複数を一辺に沿って並べて設けた下段ケーブルサポート（図１の１０）と、この下段ケーブルサポートの上部に取り外し可能に搭載されそれぞれが前記下段ケーブル載置部のいずれかの上部に設けられケーブルを水平なループにして載置するための複数の上段ケーブル載置部（図６の３８）を有する上段ケーブルサポート（図６の４１）と、前記下段ケーブルサポートの前記一辺の前記下段ケーブル載置部相互間に設けられた下段切り欠き（図１の１９）と、前記上段ケーブルサポートの前記下段ケーブルサポートの前記一辺の上側に位置する辺の前記上段ケーブル載置部相互間に設けられた上段切り欠きとを含むことを特徴とする。
【００１６】
【発明の実施の形態】
次に、本発明の実施の形態について図面を参照して詳細に説明する。
【００１７】
図１は、本発明の実施の形態の光ケーブル余長処理構造の下段ケーブルサポート１０を示す斜視図である。
【００１８】
下段ケーブルサポート１０は、通信装置１の背面の上部に設けられたファンユニット２の背面に水平に取り付けられ、４箇所の下段ケーブル載置部１７が設けられている。各下段ケーブル載置部１７は、中心に円形の開口部１８を有し、相互間にＵ字形の切り欠き１９を有する。また、開口部１８の周囲には４つのワイヤサドル１１を等間隔に設け、開口部１８を中心として形成した光ケーブル２０のループ２１（図３を参照）を４つのワイヤサドル１１で保持するようにしている。
【００１９】
図２は、下段ケーブルサポート１０の下段ケーブル載置部１７上に搭載される上段ケーブルサポート１３の斜視図である。
【００２０】
上段ケーブルサポート１３は、上から見たときの外形が長方形で、１枚の板金から形成されており、対向する２辺（通信装置１の背面と平行な辺）のそれぞれに２本ずつの脚部１５を有し、この脚部１５は板金を９０度折り曲げて垂直に立てられている。なお、下段ケーブルサポート１０に上段ケーブルサポート１３を搭載したときに、上段ケーブルサポート１３がワイヤサドル１１と干渉しないように、脚部１５はワイヤサドル１１よりも高い必要がある。
【００２１】
図４に示すように、脚部１５の下端部には、両側に同一の高さの段差部３１が設けられ、段差部３１より先の部分からなる段差部３１により幅が少し狭くなった係止部３２の先端は外側に向け９０度曲げられた曲げ部３０となっている。また、下段ケーブルサポート１０には、脚部１５の下側に対応して取り付け穴１２が設けられている。取り付け穴１２は長方形で、通信装置１の背面と平行な方向すなわち脚部１５を形成する板金と平行な方向の長辺の長さＣは、脚部１５の幅Ａより小さく、係止部３２の幅Ｂよりは大きい。取り付け穴１２の脚部１５を形成する板金の厚さ方向の短辺の長さＤは、曲げ部３０の長さ（脚部１５の板厚分を含む）Ｅより大きい。段差部３１と曲げ部３０の上面との間の長さＦは、下段ケーブルサポート１０の板厚と同じかわずかに大きい。
【００２２】
下段ケーブルサポート１０の通信装置１の側に設けられた取り付け穴１２および通信装置１の反対側に設けられた取り付け穴１２それぞれの外側の長辺間の長さＧは、下段ケーブルサポート１０から取り外した上段ケーブルサポート１３のこれらの取り付け穴１２に対応する脚部１５の曲げ部３０を除いた部分の外側の表面間の長さＨよりも小さい。
【００２３】
下段ケーブルサポート１０への上段ケーブルサポート１３の取り付けは、例えば図５に示すように通信装置１の反対側の脚部１５の先端の曲げ部３０を対応する取り付け穴１２に差し込み、その脚部１５の段差部３１を下段ケーブルサポート１０の上面に当接させる。次に、通信装置１の側の脚部１５の先端部を通信装置１の反対の側へ押して、曲げ部３０が対応する取り付け穴１２の位置に合うまで撓ませ、この曲げ部３０をこの取り付け穴１２へ差し込み段差部３１を下段ケーブルサポート１０の上面に当接させてから脚部１５を押すことを解除すると、通信装置１の側の脚部１５および反対側の脚部１５が互いの先端間を広げるように弾性変形し、曲げ部３０が取り付け穴１２の外側の下段ケーブルサポート１０の下側に位置するようになり、脚部１５の先端が取り付け穴１２から外れなくなり、上段ケーブルサポート１３が下段ケーブルサポート１０に固定される。
【００２４】
下段ケーブルサポート１０から上段ケーブルサポート１３を取り外すときは、脚部１５を押して曲げ部３０の位置を取り付け穴１２に合うまで撓ませれば、脚部１５の先端を取り付け穴１２から抜き取ることができる。
【００２５】
上段ケーブルサポート１３の上面は、上段ケーブル載置部３４を成し、中心に円形の開口部３３を有し、開口部３３の周囲には４つのワイヤサドル１４を等間隔に設け、開口部３３を中心として形成した光ケーブル２０の水平なループ２１（図３を参照）を４つのワイヤサドル１４で保持するようにしている。
【００２６】
図３は、下段ケーブルサポート１０の右端の下段ケーブル載置部１７に上段ケーブルサポート１３を取り付け、ワイヤーサドル１１および１４に光ケーブル２０のループ２１を保持させた状態を示す図である。
【００２７】
光ケーブル２０の余長処理を行う方法は、まず下段ケーブルサポート１０に上段ケーブルサポート１３を取り付けていない状態で、通信装置１の側面部分を縦方向に導かれて来た光ケーブル２０を下段ケーブルサポート１０の両側部から導入し（図３には右側部のみを示す）、下段ケーブル載置部１７のワイヤサドル１１に余長部分を水平なループ２１に巻いて処理した後に、先端を通信装置１内のユニットのコネクタ（図示略）に接続する。次に、下段ケーブルサポート１０に上段ケーブルサポート１３を取り付け、上段ケーブルサポート１３についても、他の光ケーブル２０を右側部から導入し、上段ケーブル載置部３４のワイヤサドル１４に余長部分を水平なループ２１に巻いて処理した後に、先端を通信装置１内のユニットのコネクタに接続する。
【００２８】
下段ケーブルサポート１０は、両側端が湾曲面３６を形成してから下向きになって通信装置１の側面に固定されたブラケット３５に保持されている。この湾曲面３６で両側部から導入されてくる光ケーブル２０が許容半径以下に曲げられてしまうのを防いでいる。また、上段ケーブルサポート１３の両側辺にも湾曲面３７を形成し、上段ケーブルサポート１３上を這わせて導かれる光ケーブル２０が許容半径以下に曲げられるのを防止している。
【００２９】
図３は、下段ケーブルサポート１０の右端の下段ケーブル載置部１７に上段ケーブルサポート１３を取り付けた場合であるが、上段ケーブルサポート１３は、下段ケーブルサポート１０の４つの下段ケーブル載置部１７のどれにも任意に取り付けることができ、また複数の上段ケーブルサポート１３を任意の下段ケーブル載置部１７に取り付けることもでき、光ケーブル２０の接続の作業性や収納性を向上させることができる。
【００３０】
図６は、本発明の他の実施の形態のケーブル余長処理構造に用いる上段ケーブルサポート４１の斜視図である。この上段ケーブルサポート４１も図１に示した下段ケーブルサポート１０上に搭載するもので、下段ケーブルサポート１０の２つの下段ケーブル載置部１７に対応する２つの上段ケーブル載置部３８を設け、各上段ケーブル載置部３８に、中心の開口部３３およびその周囲に配設されたワイヤサドル１４を備えている。また、上段ケーブルサポート４１の両側端部それぞれのみに２つずつの脚部１５を備えている。
【００３１】
図７は、本発明のさらに他の実施の形態のケーブル余長処理構造に用いる上段ケーブルサポート４２の斜視図である。この上段ケーブルサポート４２も図１に示した下段ケーブルサポート１０上に搭載するもので、下段ケーブルサポート１０の３つの下段ケーブル載置部１７に対応する３つの上段ケーブル載置部３９を設け、各上段ケーブル載置部３９に、中心の開口部３３およびその周囲に配設されたワイヤサドル１４を備えている。また、上段ケーブルサポート４２の両側端部それぞれのみに２つずつの脚部１５を備えている。しかし、脚部１５の配置は図７に示すものに限られず、下段ケーブルサポート１０に設けられた取り付け穴１２に対応して各上段ケーブル載置部３９に４つずつの脚部１５を備えるようにしてもよいし、その脚部１５のうちのいくつかを除いたものを備えるようにしてもよい。
【００３２】
図には示していないが、下段ケーブルサポート１０のワイヤサドル１１に保持されるループ２１を形成した光ケーブル２０の延長部分は、開口部１８または切り欠き１９を通して下段ケーブルサポート１０の下側に導き、先端を通信装置１の背面側に設けられたユニットの端子に接続することもできる。上段ケーブルサポート１３のワイヤサドル１４に保持ループ２１を形成する光ケーブル２０の延長部分も開口部３３及び１８を通し、下段ケーブルサポート１０の下側へ導くこともできる。また、上段ケーブルサポート４１および４２の各上段ケーブル載置部３８の間または上段ケーブル載置部３９の間に切り欠きを設けてワイヤサドル１４に保持されるループ２１を形成する光ケーブル２０を、その切り欠きを通して下側に導くようにすることもできる。
【００３３】
図６および図７に示すように、光ケーブル２０の余長を処理するループ２１を載置する上段ケーブル載置部３８が２つのケーブルサポート４１や上段ケーブル載置部３９が３つのケーブルサポート４２等を用意しておくことにより、光ケーブル２０の導入本数や実装位置により適切な大きさのケーブルサポートの使い分けが可能である。
【００３４】
なお、下段ケーブルサポート１０、上段ケーブルサポート１３、４１、４２の材質としては、例えば鋼板を用いることができるし、プラスチック樹脂を用いることもできる。ワイヤサドル１１および１４も同様である。
【００３５】
また本発明は、光ケーブルに限らず、各種のケーブルにも適用できる。
【００３６】
【発明の効果】
本発明のケーブル余長処理構造は、ケーブルの余長部分を収納する下段ケーブルサポートおよび上段ケーブルサポートの上下２段構造とし、ケーブルの収納本数を増大させることができる。すなわち、下段ケーブルサポートに上段ケーブルサポートを搭載することにより、ケーブル導入本数に応じて簡単にケーブルの余長処理エリアを増設または削減することが可能である。しかも、上段ケーブルサポートをねじや工具を使用することなく下段ケーブルサポートに取り付け、取り外すことができ、簡単にケーブルの余長処理エリアの増設、削減を行うことができる。
【００３７】
通常、通信装置等の背面には、各種のユニットのケーブル接続用のコネクタが配置され、コネクタへのケーブルの接続作業のために通信装置等の背面は、容易に手が届き、容易に見ることができる必要があるが、本発明の下段ケーブルサポートおよび上段ケーブルサポートは、ケーブルのリールを水平にコンパクトに積み重ね、通信装置の背面の少しの部分のみを覆うだけでケーブルの接続作業の邪魔になることがない。
【００３８】
図１および図３に示す例では、通信装置１の背面の上部に設けられたファンユニット２に下段ケーブルサポートが取り付けられ、通信装置１のファンユニット２の部分以外の背面をケーブル余長処理構造が覆うことがなく、図１０に示した従来の余長処理構造のように縦に配置されたケーブルのループが通信装置の背面の多くを覆うことがなく、ケーブル接続の作業エリアを侵すことがない。
【００３９】
このように本発明のケーブル余長処理構造は、多くのスペースを必要としないコンパクトな構造で、通信装置の狭い筐体内にあって効率的なスペース利用が可能となる。
【図面の簡単な説明】
【図１】本発明の実施の形態の光ケーブル余長処理構造の下段ケーブルサポート１０を示す斜視図である。
【図２】本発明の実施の形態の光ケーブル余長処理構造の上段ケーブルサポート１３を示す斜視図である。
【図３】本発明の実施の形態の光ケーブル余長処理構造の部分斜視図である。
【図４】図２中の脚部１５の下端部を対応する図１中の取り付け穴１２に差し込む前の状態を示す斜視図である。
【図５】図２中の脚部１５の下端部を対応する図１中の取り付け穴１２に差し込んだ状態を示す斜視図である。
【図６】本発明の他の実施の形態の光ケーブル余長処理構造の上段ケーブルサポート４１を示す斜視図である。
【図７】本発明のさらに他の実施の形態の光ケーブル余長処理構造の上段ケーブルサポート４２を示す斜視図である。
【図８】従来の光ケーブル余長処理構造の斜視図である。
【図９】図８中のワイヤーサドル１１１の斜視図である。
【図１０】従来の他の光ケーブル余長処理構造の斜視図である。
【符号の説明】
１　　通信装置
２　　ファンユニット
１０　　下段ケーブルサポート
１１　　ワイヤーサドル
１２　　取り付け穴
１３　　上段ケーブルサポート
１４　　ワイヤサドル
１５　　脚部
１７　　下段ケーブル載置部
１８　　開口部
１９　　切り欠き
２０　　光ケーブル
２１　　ループ
３０　　曲げ部
３１　　段差部
３２　　係止部
３３　　開口部
３４　　上段ケーブル載置部
３５　　ブラケット
３６　　湾曲面
３７　　湾曲面
３８　　上段ケーブル載置部
３９　　上段ケーブル載置部
４１　　上段ケーブルサポート
４２　　上段ケーブルサポート
１１０　　ケーブルサポート
１１１　　ワイヤーサドル
１１２　　支持腕
１１３　　ケーブル載置部
１２０　　光ケーブル
１２１　　ループ
２０１　　電子回路ユニット
２０２　　ケーブルサポート
２０３　　保持金具
２１１　　ワイヤサドル
２２０　　光ケーブル
２２１　　ループ
【図１】
2004080885.tif 000003
【図２】
2004080885.tif 000004
【図３】
2004080885.tif 000005
【図４】
2004080885.tif 000006
【図５】
2004080885.tif 000007
【図６】
2004080885.tif 000008
【図７】
2004080885.tif 000009
【図８】
2004080885.tif 000010
【図９】
2004080885.tif 000011
【図１０】
2004080885.tif 000012